【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
各エリアに分散して設置される複数の画像処理装置と、各画像処理装置を管理する情報処理装置とが通信可能な画像処理システムであって、
前記情報処理装置は、
画像処理装置から通知される要求を満たす他の画像処理装置を検索する第一の検索手段と、
画像処理装置から通知されるユーザ情報に基づいて、当該ユーザ情報が示すユーザの入室が許可されているエリアに設置されている他の画像処理装置を検索する第二の検索手段と、
前記第一の検索手段による検索結果と、前記第二の検索手段による検索結果を、前記要求を通知した画像処理装置に送信する送信手段と、を有し、
前記各画像処理装置は、
他の画像処理装置と連携処理する要求を前記情報処理装置に送信する要求送信手段と、
入力されたユーザ情報を前記情報処理装置に送信するユーザ情報送信手段と、
前記送信手段によって送信された情報の受信に応じて、前記第一の検索手段により検索された他の画像処理装置の一覧を表示する表示手段と、
を有し、
前記表示手段は、前記第二の検索手段による検索結果に基づいて、前記一覧表示される他の画像処理装置が前記ユーザ情報に対応するユーザが入室可能なエリアに存在するか否かを識別可能に表示することを特徴とする画像処理システム。
【請求項２】
前記情報処理装置は、
各エリアに対するユーザ毎の入室権限情報を記憶する記憶手段を更に有し、
前記第二の検索手段は、前記記憶手段に記憶される入室権限情報に基づいて検索することを特徴とする請求項１記載の画像処理システム。
【請求項３】
前記画像処理装置は、他の画像処理装置との連携処理が指示されたか否かを判断する判断手段を有し、
前記表示手段は、他の画像処理装置との連携処理が指示された場合には、前記一覧表示される他の画像処理装置が前記ユーザ情報に対応するユーザが入室可能なエリアに存在するか否かを識別可能に表示し、他の画像処理装置との連携処理が指示されなかった場合には、前記一覧表示される他の画像処理装置が前記ユーザ情報に対応するユーザが入室可能なエリアに存在するか否かを識別可能に表示しないことを特徴とする請求項１又は２に記載の画像処理システム。
【請求項４】
前記表示手段は、前記一覧表示される他の画像処理装置のうち、前記ユーザ情報に対応するユーザが入室可能なエリアに存在する他の画像処理装置と、入室可能なエリアに存在しない他の画像処理装置とを異なる表示態様で同一画面上に表示することを特徴とする請求項１乃至３のいずれかに記載の画像処理システム。
【請求項５】
各エリアに分散して設置される複数の画像処理装置と通信可能な情報処理装置であって、
画像処理装置から通知される要求を満たす他の画像処理装置を検索する第一の検索手段と、
画像処理装置から通知されるユーザ情報に基づいて、当該ユーザ情報が示すユーザの入室が許可されているエリアに設置されている他の画像処理装置を検索する第二の検索手段と、
前記第一の検索手段による検索結果と、前記第二の検索手段による検索結果を、前記要求を通知した画像処理装置に送信する送信手段と、を備えることを特徴とする情報処理装置。
【請求項６】
各エリアに対するユーザ毎の入室権限情報を記憶する記憶手段を更に有し、
前記第二の検索手段は、前記記憶手段に記憶される入室権限情報に基づいて検索することを特徴とする請求項５記載の情報処理装置。
【請求項７】
画像処理装置であって、
ユーザを識別するための識別情報を入力する入力手段と、
前記識別情報によって識別されるユーザが入室可能なエリアに設置されている他の画像処理装置の情報を取得する取得手段と、
前記画像処理装置において入力されたデータの送信先となる他の画像処理装置を一覧表示する際に、前記取得手段によって取得された情報に基づいて、前記他の画像処理装置が前記ユーザが入室可能なエリアに存在するか否かを識別可能に表示する表示手段と、
を有することを特徴とする画像処理装置。
【請求項８】
画像処理装置であって、
ユーザを識別するための識別情報を入力する入力手段と、
前記識別情報によって識別されるユーザが入室可能なエリアを示す入室管理情報を取得する取得手段と、
前記画像処理装置において入力されたデータの送信先となる他の画像処理装置を一覧表示する際に、前記入室管理情報に基づいて、前記他の画像処理装置が前記ユーザが入室可能なエリアに存在するか否かを識別可能に表示する表示手段と、
を有することを特徴とする画像処理装置。
【請求項９】
各エリアに分散して設置される複数の画像処理装置と通信可能な情報処理装置における画像処理方法であって、
画像処理装置から通知される要求を満たす他の画像処理装置を検索する第一の検索工程と、
画像処理装置から通知されるユーザ情報に基づいて、当該ユーザ情報が示すユーザの入室が許可されているエリアに設置されている他の画像処理装置を検索する第二の検索工程と、
前記第一の検索工程による検索結果と、前記第二の検索工程による検索結果を、前記要求を通知した画像処理装置に送信する送信工程と、を備えることを特徴とする画像処理方法。
【請求項１０】
画像処理装置における画像処理方法であって、
ユーザを識別するための識別情報を入力する入力工程と、
前記識別情報によって識別されるユーザが入室可能なエリアに設置されている他の画像処理装置の情報を取得する取得工程と、
前記画像処理装置において入力されたデータの送信先となる他の画像処理装置を一覧表示する際に、前記取得工程によって取得された情報に基づいて、前記他の画像処理装置が前記ユーザが入室可能なエリアに存在するか否かを識別可能に表示する表示工程と、
を有することを特徴とする画像処理方法。
【請求項１１】
画像処理装置における画像処理方法であって、
ユーザを識別するための識別情報を入力する入力工程と、
前記識別情報によって識別されるユーザが入室可能なエリアを示す入室管理情報を取得する取得工程と、
前記画像処理装置において入力されたデータの送信先となる他の画像処理装置を一覧表示する際に、前記入室管理情報に基づいて、前記他の画像処理装置が前記ユーザが入室可能なエリアに存在するか否かを識別可能に表示する表示工程とを有することを特徴とする画像処理方法。
【請求項１２】
各エリアに分散して設置される複数の画像処理装置と通信可能な情報処理装置で実行可能なプログラムであって、
画像処理装置から通知される要求を満たす他の画像処理装置を検索する第一の検索工程と、
画像処理装置から通知されるユーザ情報に基づいて、当該ユーザ情報が示すユーザの入室が許可されているエリアに設置されている他の画像処理装置を検索する第二の検索工程と、
前記第一の検索工程による検索結果と、前記第二の検索工程による検索結果を、前記要求を通知した画像処理装置に送信する送信工程とを有する画像処理方法をコンピュータに実行させることを特徴とするプログラム。
【請求項１３】
画像処理装置で実行可能なプログラムであって、
ユーザを識別するための識別情報を入力する入力工程と、
前記識別情報によって識別されるユーザが入室可能なエリアに設置されている他の画像処理装置の情報を取得する取得工程と、
前記画像処理装置において入力されたデータの送信先となる他の画像処理装置を一覧表示する際に、前記取得工程によって取得された情報に基づいて、前記他の画像処理装置が前記ユーザが入室可能なエリアに存在するか否かを識別可能に表示する表示工程とを有する画像処理方法をコンピュータに実行させることを特徴とするプログラム。
【請求項１４】
画像処理装置で実行可能なプログラムであって、
ユーザを識別するための識別情報を入力する入力工程と、
前記識別情報によって識別されるユーザが入室可能なエリアを示す入室管理情報を取得する取得工程と、
前記画像処理装置において入力されたデータの送信先となる他の画像処理装置を一覧表示する際に、前記入室管理情報に基づいて、前記他の画像処理装置が前記ユーザが入室可能なエリアに存在するか否かを識別可能に表示する表示工程とを有する画像処理方法をコンピュータに実行させることを特徴とするプログラム。
【手続補正２】
【補正対象書類名】明細書
【補正対象項目名】００１２
【補正方法】変更
【補正の内容】
【００１２】
各エリアに分散して設置される複数の画像処理装置と、各画像処理装置を管理する情報処理装置とが通信可能な画像処理システムであって、前記情報処理装置は、画像処理装置から通知される要求を満たす他の画像処理装置を検索する第一の検索手段と、画像処理装置から通知されるユーザ情報に基づいて、当該ユーザ情報が示すユーザの入室が許可されているエリアに設置されている他の画像処理装置を検索する第二の検索手段と、前記第一の検索手段による検索結果と、前記第二の検索手段による検索結果を、前記要求を通知した画像処理装置に送信する送信手段と、を有し、前記各画像処理装置は、他の画像処理装置と連携処理する要求を前記情報処理装置に送信する要求送信手段と、入力されたユーザ情報を前記情報処理装置に送信するユーザ情報送信手段と、前記送信手段によって送信された情報の受信に応じて、前記第一の検索手段により検索された他の画像処理装置の一覧を表示する表示手段とを有し、前記表示手段は、前記第二の検索手段による検索結果に基づいて、前記一覧表示される他の画像処理装置が前記ユーザ情報に対応するユーザが入室可能なエリアに存在するか否かを識別可能に表示することを特徴とする。
【手続補正３】
【補正対象書類名】明細書
【補正対象項目名】００２８
【補正方法】変更
【補正の内容】
【００２８】
なお、ＨＤ２００５には、後述するフローチャートに示す制御手順を実行するためのプログラムが記憶されている。
【手続補正４】
【補正対象書類名】明細書
【補正対象項目名】００４３
【補正方法】変更
【補正の内容】
【００４３】
入室管理サーバ１０１から当該ユーザの入室権限情報を取得したデバイス管理サーバ１０２は、自身が保持している各画像処理装置の情報（図３）を基に、当該ユーザが入室権限をもつエリアに設置されている画像処理装置を検索する。
【手続補正５】
【補正対象書類名】明細書
【補正対象項目名】００４５
【補正方法】変更
【補正の内容】
【００４５】
次に、当該リストに存在する画像処理装置の中より、前記ユーザが要求している機能が実現可能な画像処理装置を、デバイス管理サーバ１０２で保持しているデバイス情報（図３）を基に検索する。ここで、機能とは、今回の実施例では連携処理機能である。即ち、リストに存在する画像処理装置が、連携処理に対応しているか否かを判断する。
【手続補正６】
【補正対象書類名】明細書
【補正対象項目名】００５７
【補正方法】変更
【補正の内容】
【００５７】
撮像素子８０８からの画像信号出力は例えば８ビットのデジタルデータに変換された後、コントローラ部５００に入力される。
【手続補正７】
【補正対象書類名】明細書
【補正対象項目名】００５９
【補正方法】変更
【補正の内容】
【００５９】
８１７は露光手段であり、例えば半導体レーザー等で構成され、画像形成や装置全体の制御を行うコントローラ部５００で処理された画像データに基づいて感光ドラム８１０を露光し、静電潜像を形成する。
【手続補正８】
【補正対象書類名】明細書
【補正対象項目名】００７８
【補正方法】変更
【補正の内容】
【００７８】
例えば図１のように、入室管理／入室制限が実施されている居室に対応する各エリア１１０〜１１２に画像処理装置を１台ずつ配し（画像処理装置１０３−１〜１０３−３）、それぞれをネットワーク１０５で接続した場合について説明する。各画像処理装置１０３−１〜１０３−３のデバイス情報（図３）を管理するデバイス管理サーバ１０２も、同じくネットワーク１０５を介して各画像処理装置１０３−１〜１０３−３に接続されている。また、同じく入室管理／入室制限を実施しているシステムの、入室管理サーバ１０１も、ネットワーク１０５に接続されている。
【手続補正９】
【補正対象書類名】明細書
【補正対象項目名】０１０７
【補正方法】変更
【補正の内容】
【０１０７】
Ｓ１００４では、コントローラ部５０００は、他の画像処理装置と連携する処理が指示されたか否かを判断する。具体的には、ユーザ１０８が、図９に示すコピー設定画面４００で、連携処理ボタン４０１を押したか否かを判断する。連携処理ボタン４０１以外のボタンが押下されたと判断した場合は、Ｓ１０１９へ進む。
【手続補正１０】
【補正対象書類名】明細書
【補正対象項目名】０１１０
【補正方法】変更
【補正の内容】
【０１１０】
次に、Ｓ１００８で、デバイス管理サーバ１０２は、前記ユーザが要求している機能（例えば連携処理機能）が実現可能な画像処理装置をデバイス管理サーバ１０２で保持しているデバイス情報（図３）を基に検索する。
【手続補正１１】
【補正対象書類名】明細書
【補正対象項目名】０１１４
【補正方法】変更
【補正の内容】
【０１１４】
そして、Ｓ１０１１で、該検索の結果から、ユーザが入室可能なエリアに設置されており、且つ、ユーザが要求している機能を実現できる画像処理装置が検索されたかどうかを判断する。ここで、ユーザが要求している機能を実現できる画像処理装置が検索されないと判断した場合は、Ｓ１０１７へ進む。
【手続補正１２】
【補正対象書類名】明細書
【補正対象項目名】０１７６
【補正方法】変更
【補正の内容】
【０１７６】
そして、Ｓ１５０８で、入室管理サーバ１０１のＣＰＵ２０００がパスワードが入力されたかどうかを判断する。ここで、パスワードが入力されていないと判断した場合は、Ｓ１５０７へ戻る。
【手続補正１３】
【補正対象書類名】明細書
【補正対象項目名】０１８１
【補正方法】変更
【補正の内容】
【０１８１】
このように、本実施形態では、各エリア１１０〜１１２において、ユーザＩＤの入力があったならば、入室管理用ユーザＩＤリーダ１０６はネットワーク１０５経由（図示せず）で入室管理サーバ１０１へユーザＩＤ情報を通知する。なお、直接接続によって入室管理サーバ１０１へユーザＩＤ情報を通知する構成であってもよい。
【手続補正１４】
【補正対象書類名】明細書
【補正対象項目名】０２００
【補正方法】変更
【補正の内容】
【０２００】
Ｓ１０１３において、コントローラ部５０００は、図２０に示す表示画面をモニタ９０８に表示させる。図２０の画面では、ユーザが入室不可能なエリアにある画像処理装置（名称Ｄｅｖ５５００−１０２）の欄がグレーアウトされ、連携先として選択することができなくなっている。